(57)【要約】【課題】スペースを有効に利用して音出力装置を効率よく取り付けることができる遊技機を提供すること。【解決手段】スロットマシン１に設けられる下取付部１１６Ｌ，１１６Ｒを用いて遊技場（図示略）に設置された設備としての遊技島２００に取り付け可能であり、スピーカ６０がスピーカ取付位置に取り付けられたときに下取付部１１６Ｌを用いてスロットマシン１を遊技島２００に取り付けることが不可能な状態となっており、スピーカ６０は、スピーカ取付位置に取り付けられた取付状態から容易に非取付状態としてスロットマシン１から取り外すことができるように取り付けられている。【選択図】図５
2015205139.tif 000002
【特許請求の範囲】
【請求項１】
遊技を行うことが可能な遊技機であって、
音を出力可能な音出力装置を備え、
前記遊技機は、
遊技機に設けられる設備取付部を用いて遊技場に設置された設備に取り付け可能であり、
前記音出力装置が遊技機の取付位置に取り付けられたときに前記取付位置に取り付けられていないときよりも設備取付部を用いて遊技機を設備に取り付けることが困難な状態、または、前記音出力装置が遊技機の取付位置に取り付けられたときに設備取付部を用いて遊技機を設備に取り付けることが不可能な状態となっており、
前記音出力装置は、前記取付位置に取り付けられた取付状態から容易に非取付状態として遊技機から取り外すことができるように取り付けられている
ことを特徴とする遊技機。
【発明の詳細な説明】
【技術分野】
【０００１】
本発明は、遊技を行うことが可能な遊技機に関する。
【背景技術】
【０００２】
遊技機として代表されるスロットマシンやパチンコ遊技機等は、遊技場に設置された設備に取り付けて使用されるため、遊技機には、本体を設備に設置するための設備取付部が設けられている。
【０００３】
この種の遊技機として、例えば、金属製の遊技機筐体の上下面に開口部を形成し、該開口部に木材または合成樹脂材からなる固定部材（設備取付部）を交換可能に設け、該固定部材に釘を打ち込んだりネジを螺入したりすることで、筐体を設備に取り付けできるようにしたもの等があった（例えば、特許文献１参照）。
【０００４】
また、演出の質を高めるため、筐体の背板の内面上部に大型の音出力装置を取り付けたもの等があった（例えば、特許文献２参照）。
【先行技術文献】
【特許文献】
【０００５】
【特許文献１】特開２００３−２６５７９７号公報
【特許文献２】特開２０１３−１８８３８８号公報
【発明の概要】
【発明が解決しようとする課題】
【０００６】
上記特許文献１に記載の遊技機にあっては、例えば、遊技機の設備への設置作業を行う場合において、設備取付部の周囲に各種装置や部材等が配設されていると設置作業の妨げになるため、設備取付部の近傍に各種装置や部材等が配設されていない方が好ましいが、このようにすると設備取付部の近傍のスペースが無駄になるので、上記特許文献２に記載したような大型の音出力装置を配置するスペースが制限されてしまうという問題があった。
【０００７】
本発明は、このような問題点に着目してなされたもので、スペースを有効に利用して音出力装置を効率よく取り付けることができる遊技機を提供することを目的とする。
【課題を解決するための手段】
【０００８】
前記課題を解決するために、本発明の手段１の遊技機は、
遊技を行うことが可能な遊技機（例えば、スロットマシン１）であって、
音を出力可能な音出力装置（例えば、スピーカ６０）を備え、
前記遊技機は、
遊技機に設けられる設備取付部（例えば、上取付部１１４Ｌ，１１４Ｒ、下取付部１１６Ｌ，１１６Ｒ）を用いて遊技場に設置された設備（例えば、遊技島２００の下設置板２０２）に取り付け可能であり、
前記音出力装置が前記遊技機の取付位置（例えば、スピーカ取付位置）に取り付けられたときに前記取付位置に取り付けられていないときよりも設備取付部を用いて遊技機を設備に取り付けることが困難な状態、または、前記音出力装置が遊技機の取付位置に取り付けられたときに設備取付部を用いて遊技機を設備に取り付けることが不可能な状態となっており（例えば、スピーカ６０がスピーカ取付位置に取り付けられた状態では、スピーカ６０により各貫通孔１１５が被覆されているため、当該スロットマシン１を設備取付部としての下取付部１１６Ｌを用いて下設置板２０２に取り付けることが不可能である。）、
前記音出力装置は、前記取付位置に取り付けられた取付状態から容易に非取付状態として遊技機から取り外すことができるように取り付けられている（例えば、スピーカ６０を筐体１ａから取り外す際に、ネジ等の取付部材による取付状態を解除する作業や、ホッパーユニット３４を先に取り外す作業や、大型で持ちにくいホッパーユニット３４を持ち上げて引き出す作業等、特定の取り外し作業を行うことなく筐体１ａから取り外すことが可能な状態でスピーカ６０が取り付けられている。）
ことを特徴としている。
この特徴によれば、音出力装置を取付位置に取り付けると、設備取付部を用いて遊技機を設備に取り付けることが困難または不可能な状態となるが、音出力装置は、取付状態から容易に非取付状態として遊技機から取り外すことができるため、遊技機の設備への取り付け作業を考慮することなく、設備取付部の近傍のスペースを有効に利用して音出力装置を取り付けることができる。
尚、「前記取付位置に取り付けられていないときよりも設備取付部を用いて遊技機を設備に取り付けることが困難な状態」、または「前記音出力装置が前記遊技機の取付位置に取り付けられたときに設備取付部を用いて遊技機を設備に取り付けることが不可能な状態」とは、例えば、音出力装置が設備取付部を覆うなど直接的に作用して遊技機の設備への取り付けを困難または不可能とする状態や、音出力装置が設備取付部を覆うなどしていないが取り付け作業を行う作業者の手に接触するなど間接的に作用して遊技機の設備への取り付けを困難または不可能とする状態等を含む。
また、「前記取付位置に取り付けられた取付状態から容易に非取付状態として遊技機から取り外すことができるように取り付けられている」とは、例えば、他の部材等を移動したり遊技機から取り出したりすることなく音出力装置を取り外すことができるように取り付けられていること、ドライバーなどの工具を用いることなく音出力装置を取り外すことができるように取り付けられていること、音出力装置を取り付けるネジ等の取付部材が見える状態で音出力装置が取り付けられていること、音出力装置を把手部を掴んで取り外すことができるように取り付けられていること等を含む。
【０００９】
本発明の手段２の遊技機は、手段１に記載の遊技機であって、
前記遊技機（例えば、スロットマシン１）へ電力を供給するための電源装置（例えば、電源ボックス１００）を備える
ことを特徴としている。
この特徴によれば、遊技機へ電力を供給することができる。
【００１０】
本発明の手段３の遊技機は、手段２に記載の遊技機であって、
前記音出力装置（例えば、スピーカ６０）は、前記電源装置（例えば、電源ボックス１００）と遊技機の枠板（例えば、底板１１０ｂ）との間に形成される空間内に少なくとも一部が配置されている（図４参照）
ことを特徴としている。
この特徴によれば、音出力装置が大型化しても効率よく配置することができる。
【００１１】
本発明の手段４の遊技機は、手段１〜３のいずれかに記載の遊技機であって、
前記音出力装置（例えば、スピーカ６０）をスライド移動可能とする被スライド部（例えば、ガイドレール１２０Ｌ，１２０Ｒ／ガイドレール１５０Ｌ，１５０Ｒ）を備える
この特徴によれば、音出力装置をスライド移動させることができる。
【００１２】
本発明の手段５の遊技機は、手段４に記載の遊技機であって、
前記音出力装置（例えば、スピーカ６０）は、前記被スライド部（例えば、ガイドレール１２０Ｌ，１２０Ｒ／ガイドレール１５０Ｌ，１５０Ｒ）により前記取付位置（例えば、スピーカ取付位置）まで案内される（図６／図１０，図１１参照）
ことを特徴としている。
この特徴によれば、音出力装置の取付位置への取り付けを容易に行うことができる。
【００１３】
本発明の手段６の遊技機は、手段１〜５のいずれかに記載の遊技機であって、
前記音出力装置（例えば、スピーカ６０）は、取付部材（例えば、取付台７０）を介して前記遊技機（例えば、スロットマシン１の筐体１ａ）に取り付けられている（図５参照）
ことを特徴としている。
この特徴によれば、音出力装置を取付部材を介して遊技機に取り付けることができる。
【００１４】
本発明の手段７の遊技機は、手段６に記載の遊技機であって、
前記取付部材（例えば、取付台７０）は、前記音出力装置以外の他の装置（例えば、ホッパーユニット３４）を取り付けるために用いられる
ことを特徴としている。
この特徴によれば、音出力装置は、他の装置と共通の取付部材を介して遊技機に取り付けられているため、部品点数を低減することが可能となる。
【００１５】
本発明の手段８の遊技機は、手段７に記載の遊技機であって、
前記取付部材は、遊技媒体（例えば、メダル）を払い出す前記他の装置としての払出装置（例えば、ホッパーユニット３４）を取り付けるための払出装置取付部（例えば、ガイドレール１３０Ｌ，１３０Ｒ）を有し、該払出装置取付部と反対側（水平板７０ａの下面７０ｆ）に音出力装置取付部（例えば、ナット１４０）が設けられている（図５参照）
ことを特徴としている。
この特徴によれば、取付部材における払出装置取付部の反対側を効率よく使用することができる。
【００１６】
尚、本発明は、本発明の請求項に記載された発明特定事項のみを有するものであって良いし、本発明の請求項に記載された発明特定事項とともに該発明特定事項以外の構成を有するものであっても良い。
【図面の簡単な説明】
【００１７】
【図１】本発明が適用された実施例１のスロットマシンを示す正面図である。
【図２】スロットマシンの内部構造を示す斜視図である。
【図３】スロットマシンの構成を示すブロック図である。
【図４】筐体の内部を示す正面図である。
【図５】（Ａ）は筐体へのスピーカの取付構造を示す分解斜視図、（Ｂ）は（Ａ）の要部拡大断面図である。
【図６】筐体へのスピーカ及びホッパーユニットの取付構造を示す分解斜視図である。
【図７】（Ａ）はスピーカが取付けられる前の筐体を示す一部破断平面図、（Ｂ）はスピーカが取付けられた筐体を示す一部破断平面図である。
【図８】図７（Ａ）のＡ−Ａ断面図である。
【図９】遊技島にスロットマシンが設置された状態を示す説明図である。
【図１０】本発明の変形例１としてのスロットマシンを示す分解斜視図である。
【図１１】（Ａ）はスピーカが取り付けられた状態を示す縦断面図、（Ｂ）は（Ａ）のＢ−Ｂ断面図である。
【図１２】（Ａ）は本発明の変形例２としてのスロットマシンを示す分解斜視図、（Ｂ）はスピーカの取り付け状態を示す断面図である。
【図１３】（Ａ）は本発明の変形例３としてのスロットマシンを示す分解斜視図、（Ｂ）はスピーカの取り付け状態を示す断面図である。
【発明を実施するための形態】
【００１８】
本発明に係るスロットマシンを実施するための形態を実施例に基づいて以下に説明する。
【実施例】
【００１９】
本発明が適用されたスロットマシンの実施例を図面を用いて説明する。尚、以下の説明においては、図１に示すスロットマシン１の正面に対峙したときの前後左右方向を基準として説明する。本実施例のスロットマシン１は、図２に示すように、前面が開口する筐体１ａと、この筐体１ａの側端に回動自在に枢支された前面扉１ｂと、から構成されている。
【００２０】
本実施例のスロットマシン１の筐体１ａの内部には、図２に示すように、外周に複数種の図柄が配列されたリール２Ｌ，２Ｃ，２Ｒ（以下、左リール、中リール、右リール）が水平方向に並設されており、図１に示すように、これらリール２Ｌ，２Ｃ，２Ｒに配列された図柄のうち連続する３つの図柄が前面扉１ｂに設けられた透視窓３Ｌ，３Ｃ，３Ｒからそれぞれ見えるように配置されている。
【００２１】
リール２Ｌ，２Ｃ，２Ｒの外周部には、特に図示しないが、それぞれ「黒７」、「網７（図中網掛け７）」、「白７」、「ＢＡＲ」、「リプレイ」、「プラム」、「スイカ」、「チェリー」、「ベル」、「オレンジ」等の互いに識別可能な複数種類の図柄が所定の順序で、それぞれ２１個ずつ描かれている。リール２Ｌ，２Ｃ，２Ｒの外周部に描かれた図柄は、前面扉１ｂに設けられた透視窓３Ｌ，３Ｃ，３Ｒにおいて各々上中下三段に表示される。
【００２２】
各リール２Ｌ，２Ｃ，２Ｒは、各々対応して設けられリールモータ３２Ｌ，３２Ｃ，３２Ｒ（図３参照）によって回動させることで、各リール２Ｌ，２Ｃ，２Ｒの図柄が透視窓３に連続的に変化しつつ表示されるとともに、各リール２Ｌ，２Ｃ，２Ｒの回動を停止させることで、透視窓３Ｌ，３Ｃ，３Ｒに３つの連続する図柄が表示結果として導出表示されるようになっている。
【００２３】
リール２Ｌ，２Ｃ，２Ｒの内側には、リール２Ｌ，２Ｃ，２Ｒそれぞれに対して、基準位置を検出するリールセンサ３３Ｌ，３３Ｃ，３３Ｒと、リール２Ｌ，２Ｃ，２Ｒを背面から照射するリールＬＥＤ５５と、が設けられている。また、リールＬＥＤ５５は、リール２Ｌ，２Ｃ，２Ｒの連続する３つの図柄に対応する１２のＬＥＤからなり、各図柄をそれぞれ独立して照射可能とされている。
【００２４】
前面扉１ｂの各リール２Ｌ，２Ｃ，２Ｒの手前側（遊技者側）の位置には、液晶表示器５１（図１参照）の表示領域５１ａが配置されている。液晶表示器５１は、液晶素子に対して電圧が印加されていない状態で透過性を有する液晶パネルを有しており、表示領域５１ａの透視窓３Ｌ，３Ｃ，３Ｒに対応する透過領域及び透視窓３Ｌ，３Ｃ，３Ｒを介して遊技者側から各リール２Ｌ，２Ｃ，２Ｒが視認できるようになっている。また、表示領域５１ａの透過領域を除く領域の裏面には、背後から表示領域５１ａを照射するバックライト（図示略）が設けられているとともに、さらにその裏面には、内部を隠蔽する隠蔽部材（図示略）が設けられている。
【００２５】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ，２Ｃ，２Ｒの回動を各々停止する際に操作されるストップスイッチ８Ｌ，８Ｃ，８Ｒ、演出に用いるための演出用スイッチ５６が遊技者により操作可能にそれぞれ設けられている。
【００２６】
尚、本実施例では、回動を開始した３つのリール２Ｌ，２Ｃ，２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２７】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回動開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００２８】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ，８Ｃ，８Ｒの内部には、該当するストップスイッチ８Ｌ，８Ｃ，８Ｒによるリールの停止操作が有効である旨を点灯により報知する左、中、右停止有効ＬＥＤ２２Ｌ，２２Ｃ，２２Ｒ（図３参照）がそれぞれ設けられている。
【００２９】
前面扉１ｂの背面には、図３に示すように、所定のキー操作により後述するエラー状態及び後述する打止状態を解除するためのリセット操作を検出するリセットスイッチ２３、設定値の変更中や設定値の確認中にその時点の設定値が表示される設定値表示器２４、所定の契機で打止状態（リセット操作がなされるまでゲームの進行が規制される状態）に制御する打止機能の有効／無効を選択するための打止スイッチ３６ａ、所定の契機で自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０、メダル投入部４から投入され、ホッパータンク３４ａ側に流下したメダルを検出する投入メダルセンサ３１ａ〜３１ｃを有するメダルセレクタ２９（図２参照）、前面扉１ｂの開放状態を検出するドア開放検出スイッチ２５が設けられている。
【００３０】
図２に示すように、前面扉１ｂの背面におけるメダル投入部４の直下には、メダルセレクタ２９が取り外し自在に設けられている。前面扉１ｂを背面から見てメダルセレクタ２９の右側には、メダルセレクタ２９の側面から流出したメダルをホッパータンク３４ａに誘導するメダルシュート１９６が取り付けられているとともに、メダルセレクタ２９の下方には、メダルセレクタ２９の背面下部から流出したメダルを下方のメダル払出口９に誘導するメダル返却通路１９１及びホッパーユニット３４から払い出されたメダルをメダル払出口９に誘導するメダル払出通路１９２を構成するメダル通路部材１９０が配設されている。
【００３１】
筐体１ａ内部には、図２に示すように、前述したリール２Ｌ，２Ｃ，２Ｒ、リールモータ３２Ｌ，３２Ｃ，３２Ｒ（図３参照）、各リール２Ｌ，２Ｃ，２Ｒのリール基準位置をそれぞれ検出可能なリールセンサ３３Ｌ，３３Ｃ，３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００及び後述するスピーカ６０が設けられている。
【００３２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａ（図３参照）が設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３３】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３４】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮが有効となる。尚、遊技状態に対応する規定数のうち最大数を超えてメダルが投入された場合には、その分はクレジットに加算される。
【００３５】
入賞ラインとは、各リール２Ｌ，２Ｃ，２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３６】
ゲームが開始可能な状態でスタートスイッチ７を操作すると、各リール２Ｌ，２Ｃ，２Ｒが回動し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回動が停止し、透視窓３に表示結果が導出表示される。
【００３７】
そして全てのリール２Ｌ，２Ｃ，２Ｒが停止されることで１ゲームが終了し、入賞ラインＬＮ上に予め定められた図柄の組み合わせ（以下、役とも呼ぶ）が各リール２Ｌ，２Ｃ，２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ，２Ｃ，２Ｒの表示結果として停止した場合には図柄の組み合わせに応じた遊技状態に移行するようになっている。
【００３８】
尚、本実施例では、３つのリールを用いた構成を例示しているが、リールが１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。
【００３９】
図３は、スロットマシン１の構成を示すブロック図である。スロットマシン１には、図３に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４０】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４１】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、前述したＭＡＸＢＥＴスイッチ６、スタートスイッチ７、ストップスイッチ８Ｌ，８Ｃ，８Ｒ、精算スイッチ１０、リセットスイッチ２３、打止スイッチ３６ａ、自動精算スイッチ３６ｂ、投入メダルセンサ３１ａ〜３１ｃ、ドア開放検出スイッチ２５、リールセンサ３３Ｌ，３３Ｃ，３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、遊技の制御を行うメイン制御部４１、メイン制御部４１の制御に用いるクロックを生成する制御用クロック生成回路４２、メイン制御部４１が搭載する乱数回路が乱数を生成する際に用いるクロックを生成する乱数用クロック生成回路４３、遊技制御基板４０に接続されるスイッチ類の検出を行うスイッチ検出回路４４、リールモータ３２Ｌ，３２Ｃ，３２Ｒを駆動させるモータ駆動回路４５、流路切替ソレノイド３０を駆動させるソレノイド駆動回路４６、ＬＥＤ類を駆動させるＬＥＤ駆動回路４７、遊技制御基板４０への供給電圧の低下を検知する電断検出回路４８、メイン制御部４１に対してリセット信号を与えるリセット回路４９が搭載されている。
【００４５】
メイン制御部４１は、１チップマイクロコンピュータにて構成され、ゲーム制御（遊技進行制御）用のプログラム等を記憶するＲＯＭ、ワークメモリとして使用されるＲＡＭ、プログラムに従って制御動作を行うＣＰＵが内蔵されており、遊技の進行に関する処理を行うととともに、遊技制御基板４０に搭載された制御回路の各部を直接的または間接的に制御する。
【００４６】
また、メイン制御部４１は、遊技の進行等に応じて演出制御基板９０に対して各種のコマンドを送信する。
【００４７】
演出制御基板９０には、スロットマシン１の前面扉１ｂに配置された液晶表示器５１（図１参照）、演出効果ＬＥＤ５２、スピーカ５３，５４、リールＬＥＤ５５等の演出装置が接続されており、これら演出装置は、演出制御基板９０に搭載されたサブ制御部９１による制御に基づいて駆動されるようになっている。
【００４８】
演出制御基板９０には、メイン制御部４１と同様にＣＰＵ、ＲＯＭ、ＲＡＭ等を備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５を駆動させるＬＥＤ駆動回路９３、スピーカ５３，５４，６０からの音声出力制御を行う音声出力回路９４、サブ制御部９１対してリセット信号を与えるリセット回路９５、日付情報及び時刻情報を含む時間情報を出力する時計装置９７、演出制御基板９０への供給電圧の低下を検出する電断検出回路９８、その他の回路等、が搭載されており、サブ制御部９１は、メイン制御部４１から送信されるコマンドを受けて、演出を行うための各種の制御を行うとともに、演出制御基板９０に搭載された制御回路の各部を直接的または間接的に制御する。
【００４９】
本実施例では、図２に示すように、スピーカ５３，５４は、前面扉１ｂの背面下部左右側に、スロットマシン１の前方に向けて音を出力可能に取り付けられ、スピーカ６０は、筐体１ａの下部に、下方に向けて音を出力可能に取り付けられている。本実施例では、スピーカ５３，５４は中音用または高音用のスピーカとされ、スピーカ６０は低音用のスピーカとされている。尚、本実施例では、スピーカ５３，５４は中音用または高音用のスピーカとされ、スピーカ６０は低音用のスピーカとされていたが、本発明はこれに限定されるものではなく、スピーカ５３，５４を低音用のスピーカとし、スピーカ６０を中音用または高音用のスピーカとしてもよい。
【００５０】
次に、筐体１ａについて、図４〜図８に基づいて説明する。図４は、筐体の内部を示す正面図である。図５は、（Ａ）は筐体へのスピーカの取付構造を示す分解斜視図、（Ｂ）は（Ａ）の要部拡大断面図である。図６は、筐体へのスピーカ及びホッパーユニットの取付構造を示す分解斜視図である。図７は、（Ａ）はスピーカが取付けられる前の筐体を示す一部破断平面図、（Ｂ）はスピーカが取付けられた筐体を示す一部破断平面図である。図８は、図７（Ａ）のＡ−Ａ断面図である。図９は、遊技島にスロットマシンが設置された状態を示す説明図である。
【００５１】
図２及び図４に示すように、筐体１ａは、木材または合成樹脂材からなる上板１１０ａ、底板１１０ｂ、左側板１１０ｃ、右側板１１０ｄ及び背板１１０ｅにより前面が開口する箱状に形成され、底板１１０ｂの上面には、補強枠板１１１が設けられている。図７（Ａ）に示すように、補強枠板１１１の右側には切欠部１１２が形成され、該切欠部１１２を介して底板１１０ｂの上面が露呈されており、該切欠部１１２に対応する位置にオーバーフロータンク３５が設置されている。
【００５２】
図２に示すように、上板１１０ａには、前後方向に列設された複数（本実施例では４つ）の貫通孔１１３からなる上取付部１１４Ｌ，１１４Ｒが左右に形成されている。また、底板１１０ｂには、前後方向に列設された複数（本実施例では５つ）の貫通孔１１５からなる下取付部１１６Ｌ，１１６Ｒが左右に形成されている。尚、補強枠板１１１における各貫通孔１１５に対応する位置には、これら貫通孔１１５を露呈させるための孔部１１５ａや切欠部１１５ｂが形成されている。これら上取付部１１４Ｌ，１１４Ｒや下取付部１１６Ｌ，１１６Ｒは、筐体１ａを遊技場に設置される設備に設置する際に用いられる。また、貫通孔１１３，１１５は、釘Ｋの直径よりも小径の孔部にて構成されている。
【００５３】
図９には、遊技場等に設置される設備の一例である遊技島２００が示されている。遊技島２００は、例えば、列方向に向けて所定間隔おきに複数立設される金属製のフレーム等からなる支持枠２０１と、これら支持枠２０１間に架設される木材や合成樹脂材からなる下設置板２０２及び上設置板２０３と、を備え、これら下設置板２０２と上設置板２０３との間にスロットマシン１を長手方向に向けて複数列設することができるようになっている。尚、本実施例では、２列の下設置板２０２及び上設置板２０３が設けられ、一対のスロットマシン１を背中合わせの状態で設置できるようになっているが、本発明はこれに限定されるものではなく、１列のみ遊技機を列設できるものであってもよい。また、遊技島２００は、複数台のスロットマシン１を取り付け可能であったが、１台のスロットマシン１のみ設置可能であってもよい。
【００５４】
スロットマシン１を遊技島２００に設置するには、下設置板２０２と上設置板２０３との間における長手方向の所定の位置に筐体１ａを載置した後、上取付部１１４Ｌ，１１４Ｒや下取付部１１６Ｌ，１１６Ｒに内側から取り付けた釘Ｋを下設置板２０２と上設置板２０３にそれぞれ打ち込む（例えば、図８参照）。これにより、筐体１ａが下設置板２０２と上設置板２０３にそれぞれ設置固定され、遊技島２００にスロットマシン１が取り付けられる。つまり、スロットマシン１は、該スロットマシン１に設けられる上取付部１１４Ｌ，１１４Ｒや下取付部１１６Ｌ，１１６Ｒを用いて遊技島２００に取り付け可能である。
【００５５】
尚、本実施例では、例えば、遊技島２００の下設置板２０２と上設置板２０３の前後幅や設置状況などに応じて、上取付部１１４Ｌ，１１４Ｒは前後方向に設けられた複数の貫通孔１１３及び下取付部１１６Ｌ，１１６Ｒは前後方向に設けられた複数の貫通孔１１５のうちからそれぞれ使用する貫通孔１１３，１１５を選択できるようになっているため、各遊技場に設置された遊技島設備に応じて適した位置に設置することができるが、予め定められた孔部のみを用いて取り付けできるようになっていてもよい。
【００５６】
また、本実施例では、釘Ｋを用いて下設置板２０２と上設置板２０３に設置固定しているが、本発明はこれに限定されるものではなく、ビスや他の取付部材等を用いて取り付けできるようにしてもよいし、あるいは、下設置板２０２や上設置板２０３に設けられた被係止部に係止可能な係止部等を介して取り付けできるようにしてもよい。
【００５７】
また、本実施例では、設備取付部としての上取付部１１４Ｌ，１１４Ｒや下取付部１１６Ｌ，１１６Ｒは、釘Ｋの直径よりも小径の貫通孔にて構成されていたが、本発明はこれに限定されるものではなく、釘Ｋの直径とほぼ同径の貫通孔や、釘Ｋの取付位置を特定可能な貫通しない穴部なども設備取付部に含まれる。また、設備取付部は、特に釘Ｋ等の取付部材の取付位置が任意である場合、該取付部材が貫通可能な強度を有する底板１１０ｂの全域であってもよい。つまり、予め加工された孔部等でなくてもよい。また、下設置板２０２や上設置板２０３に設けられた被係止部に係止可能な係止部であってもよい。
【００５８】
図４〜図８に示すように、補強枠板１１１の上面における左側辺と切欠部１１２の左側には、取付部材としての取付台７０を前後方向に移動案内するガイドレール１２０Ｌ，１２０Ｒが取り付けられている。ガイドレール１２０Ｌ，１２０Ｒは、図８に示すように、補強枠板１１１の上面にビスＢ１にて取り付けられる取付片１２０ａと、該取付片１２０ａから段部を介して連設され補強枠板１１１の上面に対し隙間を隔てて配置されるガイド片１２０ｂと、から構成され、互いに平行をなすように補強枠板１１１に取り付けられている。
【００５９】
取付台７０は、金属板を折り曲げ加工することにより形成されている。具体的には、平面視長方形をなす水平板７０ａと、水平板７０ａの左右側辺から下方に屈曲する側板７０ｂ，７０ｃと、側板７０ｂ，７０ｃそれぞれの下端辺から外側方に屈曲する被ガイド片７０ｄと、により正面視略下向きコ字形に形成されている。そして、左右の被ガイド片７０ｄを補強枠板１１１の上面とガイド片１２０ｂとの間に形成された隙間に前側から差し込むことで、左右一対のガイドレール１２０Ｌ，１２０Ｒにて左右方向の移動及び上方への浮き上がりが規制された状態で、後方にスライド移動させることができるようになっている。
【００６０】
本実施例では、取付台７０は、左右一対のガイドレール１２０Ｌ，１２０Ｒに支持された状態で筐体１ａの内部奥側まで押し込まれ、後端面が背板１１０ｅに近接（または当接）する位置（図７（Ｂ）参照）が筐体１ａにおける取付台取付位置とされている。
【００６１】
水平板７０ａの上面には、ホッパーユニット３４を前後方向に移動案内するガイドレール１３０Ｌ，１３０Ｒが取り付けられている。ガイドレール１３０Ｌ，１３０Ｒは、図８に示すように、水平板７０ａや右側の側板７０ｃの外面に溶接などにより固定される取付片１３０ａと、該取付片１３０ａから連設され水平板７０ａの上面に対し隙間を隔てて配置されるガイド片１３０ｂと、から構成され、互いに平行をなすように水平板７０ａや右側の側板７０ｃに取り付けられている。また、ガイドレール１３０Ｌ，１３０Ｒの後端には、ホッパーユニット３４のホッパーユニット取付位置からの後方移動を規制するストッパ片１３１Ｌ，１３１Ｒが立設されている。
【００６２】
そして、ホッパーユニット３４の下部から左右側に突出するように形成された前後方向を向く被ガイド片３４ｄ（図６参照）を水平板７０ａの上面７０ｅとガイド片１３０ｂとの間に形成された隙間に前側から差し込むことで、左右一対のガイドレール１３０Ｌ，１３０Ｒにて左右方向の移動及び上方への浮き上がりが規制された状態で、後方にスライド移動させることができるようになっている。
【００６３】
本実施例では、ホッパーユニット３４は、左右一対のガイドレール１３０Ｌ，１３０Ｒに支持された状態で奥側まで押し込まれ、後端面がストッパ片１３１Ｌ，１３１Ｒに近接（または当接）する位置が取付台７０に対するホッパーユニット取付位置とされている。つまり、水平板７０ａの上面７０ｅは、払出装置であるホッパーユニット３４を取り付けるための払出装置取付部を構成している。
【００６４】
また、水平板７０ａの下面７０ｆ、つまり、ホッパーユニット３４が取り付けられる上面７０ｅと反対面の四隅には、スピーカ６０を取り付けるためのネジＮ１が螺入されるナット１４０が溶接等によりそれぞれ固着されている。
【００６５】
図５に示すように、スピーカ６０は、中空の箱体からなるエンクロージャ６０ａと、該エンクロージャ６０ａの下面に形成された孔部６０ｂから音を出力可能に設けられたスピーカユニット（図示略）と、から主に構成される。エンクロージャ６０ａの下面四隅には、ネジＮ１の取付孔１４１を有する円筒状の凹部１４２が形成されている。また、エンクロージャ６０ａの上面における各凹部１４２に対応する位置には、ネジＮ１を挿通可能な取付孔１４４が形成されナット１４０を収容可能な大きさを有する収容凹部１４３が形成されている。さらに、エンクロージャ６０ａの上面前辺には、指を挿入可能な凹状の把手部１４５が形成されている。
【００６６】
このように構成されるスピーカ６０は、下面四隅の各凹部１４２から取付孔１４１，１４４に取り付けたネジＮ１をそれぞれナット１４０に螺入することで、取付台７０における水平板７０ａの下面７０ｆ側であって側板７０ｂ，７０ｃの間に取り付けることができる。取り付けられた状態において、図６に示すように、把手部１４５が水平板７０ａの前辺より前側に露呈されるようになっている。つまり、水平板７０ａの下面７０ｆは、音出力装置であるスピーカ６０を取り付けるための音出力装置取付部を構成している。
【００６７】
スピーカ６０を筐体１ａに取り付けるには、まず、図５に示すように、取付台７０における水平板７０ａの下面７０ｆ側にネジＮ１により取り付ける。そして、図６及び図７に示すように、スピーカ６０が取り付けられた取付台７０の左右の被ガイド片７０ｄを、補強枠板１１１の上面とガイド片１２０ｂとの間に形成された隙間に前側から差し込んで後方にスライド移動させて、取付台７０の後端面が背板１１０ｅに近接（または当接）する位置（図７（Ｂ）参照）に配置することで、筐体１ａにおけるスピーカ取付位置に取り付けられる。
【００６８】
尚、本実施例では、スピーカ６０は、底板１１０ｂに対しネジ等の取付部材により直接取り付けられるものではなく、底板１１０ｂ上に設けられたガイドレール１２０Ｌ，１２０Ｒにより前後方向に移動可能に案内される取付台７０に取り付けられ、該取付台７０を介して底板１１０ｂにおけるスピーカ取付位置に配設されているだけであるが、このように取付台７０等の取付部材を介してスピーカ取付位置に間接的に配設される状態も、筐体１ａにおけるスピーカ取付位置に取り付けられた取付状態に含まれる。
【００６９】
また、本実施例では、取付台７０が取付台取付位置に配置されたとき、該取付台取付位置からの逸脱が規制されていないものの、筐体１ａにおけるスピーカ取付位置に取り付けられた取付状態とされており、該スピーカ取付位置から引き出された状態が非取付状態とされているが、本発明はこれに限定されるものではなく、取付台取付位置において取付台７０をネジにて止着したり係止部等を係止させることで取付台取付位置からの逸脱が規制されるようにしてもよく、このような場合、これらネジや係止部による取付状態を解除することで非取付状態となる。
【００７０】
また、スピーカ６０は、図示しない配線を介して演出制御基板９０と接続されているため、スピーカ６０を筐体１ａから取り外すときには、該配線に設けられたコネクタ（図示略）等を介して演出制御基板９０との間の配線接続を解除することが考えられる。よって、取付状態は、このようにコネクタを介して演出制御基板９０と配線接続された状態を含み、非取付状態は、コネクタを介して配線接続が解除された状態を含む。
【００７１】
また、図７（Ｂ）及び図８に示すように、スピーカ６０がスピーカ取付位置に取り付けられると、設備取付部としての下取付部１１６Ｌ，１１６Ｒのうち左側の下取付部１１６Ｌを構成する複数の貫通孔１１５がスピーカ６０により上方から被覆されるため、各貫通孔１１５に筐体１ａの内側から釘Ｋを差し込んで取り付けること、つまり、底板１１０ｂを釘Ｋにより下設置板２０２に取り付けることができなくなる。すなわち、スピーカ６０がスピーカ取付位置に取り付けられた状態では、当該スロットマシン１を設備取付部としての下取付部１１６Ｌを用いて下設置板２０２に取り付けることが不可能となる。
【００７２】
また、このようにスピーカ６０が取付台７０を介してスピーカ取付位置に取り付けられた状態において、ホッパーユニット３４を、左右の被ガイド片３４ｄを水平板７０ａの上面７０ｅとガイド片１３０ｂとの間に形成された隙間に前側から差し込んで後方にスライド移動させ、後端面がストッパ片１３１Ｌ，１３１Ｒに近接（または当接）するホッパーユニット取付位置に取り付けることができる。
【００７３】
また、本実施例では、図４に示すように、電源装置としての電源ボックス１００は、底板１１０ｂから上方に離れた位置で左側板１１０ｃの内面に固設されているため、電源ボックス１００と底板１１０ｂとの間に、スピーカ６０の一部が挿入可能な空間が形成されている。よって、大型のスピーカ６０を横向きに倒伏させても、電源ボックス１００が邪魔になることがないので、底板１１０ｂに安定した姿勢で取り付けることができるようになっている。
【００７４】
また、スピーカ６０から音が出力されることで、スピーカユニット近傍の空気に流れが生じるため、該スピーカ６０の近くに設けられている電源ボックス１００の放熱が効果的に行われる。
【００７５】
このように構成されるスロットマシン１にあっては、例えば、当該スロットマシン１の製造メーカから所定の遊技場へ納品され、該遊技場に設置された遊技島２００に設置する場合、図２及び図４に示すように、各スロットマシン１の筐体１ａには、スピーカ６０がスピーカ取付位置に取り付けられ、ホッパーユニット３４がホッパーユニット取付位置に取り付けられている。このようにスピーカ６０がスピーカ取付位置に取り付けられている取付状態では、スピーカ６０により各貫通孔１１５が被覆されているため、各スロットマシン１を設備取付部としての下取付部１１６Ｌを用いて下設置板２０２に取り付けることが不可能である。
【００７６】
よって、各スロットマシン１を設備取付部としての下取付部１１６Ｌを用いて下設置板２０２に取り付けるためには、スピーカ６０をスピーカ取付位置から取り外し、下取付部１１６Ｌの各貫通孔１１５に筐体１ａの内側から釘Ｋを差し込んで取り付けできるようにする必要がある。
【００７７】
本実施例では、スピーカ６０がスピーカ取付位置に取り付けられている状態で、把手部１４５に指を挿入して把持して手前側に引っ張ってスライドさせることで、スピーカ６０だけでなく、該スピーカ６０が取り付けられた取付台７０及び該取付台７０に取り付けられているホッパーユニット３４が一緒に引き出されるため、スピーカ６０を簡単に筐体１ａから取り外すことができる。
【００７８】
具体的には、スピーカ６０を筐体１ａから取り外す際に、ネジ等の取付部材による取付状態を解除する作業や、ホッパーユニット３４を先に取り外す作業や、大型で持ちにくいホッパーユニット３４を持ち上げて引き出す作業等、特定の取り外し作業を行うことなく筐体１ａから取り外すことが可能な状態でスピーカ６０が取り付けられている。すなわち、スピーカ６０は、スピーカ取付位置に取り付けられた取付状態から手前側に引き出すだけで容易に非取付状態としてスロットマシン１の筐体１ａから取り外すことができるように底板１１０ｂに取り付けられている。
【００７９】
このようにスピーカ６０は、筐体１ａから簡単に取り外すことができるように取り付けられている。よって、下設置板２０２へ設置するために、下取付部１１６Ｌの各貫通孔１１５に釘Ｋを内側から取り付けるための作業スペースを確保することによりスピーカ６０の取付位置が制限されてしまうことがないように、下取付部１１６Ｌの近傍のスペースを有効に利用してスピーカ６０を底板１１０ｂに取り付けることができる。
【００８０】
以上説明したように、本発明の実施例としてのスロットマシン１にあっては、該スロットマシン１に設けられる設備取付部としての上取付部１１４Ｌ，１１４Ｒ、下取付部１１６Ｌ，１１６Ｒを用いて遊技場（図示略）に設置された設備としての遊技島２００に取り付け可能であり、スピーカ６０がスピーカ取付位置に取り付けられたときに下取付部１１６Ｌを用いてスロットマシン１を遊技島２００に取り付けることが不可能な状態となっており、スピーカ６０は、スピーカ取付位置に取り付けられた取付状態から容易に非取付状態としてスロットマシン１から取り外すことができるように取り付けられている。
【００８１】
このようにすることで、スピーカ６０をスピーカ取付位置に取り付けると、下取付部１１６Ｌを用いてスロットマシン１を遊技島２００の下設置板２０２に取り付けることが不可能な状態となるが、スピーカ６０は、スピーカ取付位置に取り付けられている取付状態から把手部１４５に手を差し込んで手前側に引くだけで、容易に非取付状態として底板１１０ｂから取り外すことができる。よって、スロットマシン１の遊技島２００への取り付け作業を考慮することなく、下取付部１１６Ｌの近傍のスペースを有効に利用してスピーカ６０を取り付けることができる。
【００８２】
つまり、下取付部１１６Ｌを用いてスロットマシン１を遊技島２００の下設置板２０２に取り付けるときは、前述したように製造メーカから所定の遊技場へ納品されたときと、遊技場内で遊技機の入替えを行うときなどであり、頻繁に行われるものではない。よって、下取付部１１６Ｌを用いてスロットマシン１を遊技島２００の下設置板２０２に取り付けるときにスピーカ６０を取り外す必要はあるが、取り外しに手間がかからない程度に取り付けできれば、下取付部１１６Ｌの近傍のスペースを有効に利用してスピーカ６０を取り付けておくことが可能となる。
【００８３】
また、本実施例では、スピーカ６０がスピーカ取付位置に取り付けられた状態において、当該スロットマシン１を設備取付部としての下取付部１１６Ｌを用いて下設置板２０２に取り付けることが不可能となるが、本発明はこれに限定されるものではなく、スピーカ６０がスピーカ取付位置に取り付けられていないときよりも当該スロットマシン１を設備取付部としての下取付部１１６Ｌを用いて下設置板２０２に取り付けることが困難な状態となるようになればよく、必ずしも下取付部１１６Ｌを用いて下設置板２０２に取り付けることが不可能とならなくてもよい。
【００８４】
尚、下取付部１１６Ｌを用いて下設置板２０２に取り付けることが困難な状態とは、例えば、スピーカ６０がスピーカ取付位置に取り付けられた状態において、スピーカ６０が下取付部１１６Ｌの各貫通孔１１５を覆うことはなく、各貫通孔１１５に釘Ｋを取り付けることは可能であるが、この釘Ｋを各貫通孔１１５に取り付けて下設置板２０２へ打ち込む作業を行う際に、作業者の手がスピーカ６０に接触するなど間接的に作用することによって筐体１ａの下設置板２０２への取り付けが困難となる状態等を含む。
【００８５】
また、下取付部１１６Ｒを用いて下設置板２０２に取り付けることが困難な状態とは、例えば、特に右側の下取付部１１６Ｒの各貫通孔１１５に釘Ｋを取り付けて下設置板２０２へ打ち込む作業を行う際に、作業者の手が、スピーカ６０以外のホッパーユニット３４やオーバーフロータンク３５に接触するなど間接的に作用することによって、筐体１ａの下設置板２０２への取り付けが困難となる状態等も含む。
【００８６】
また、本実施例では、スピーカ６０は、特定の取り外し作業を行うことなく筐体１ａから取り外すことが可能な状態でスピーカ取付位置に取り付けられている。具体的には、スピーカ６０を筐体１ａから取り外す際に、ネジ等の取付部材による取付状態を解除する作業や、スピーカ６０より先にホッパーユニット３４を先に取り外す作業や、大型で持ちにくいホッパーユニット３４を持ち上げて引き出す作業を行うことなく、筐体１ａから取り外すことが可能な状態でスピーカ６０が取り付けられていた。
【００８７】
このように、特定の取り外し作業の一例として、スピーカ６０を筐体１ａから取り外す際にネジ等の取付部材による取付状態を解除して非取付状態とする作業や、ホッパーユニット３４など他の装置や部材を先に取り外したりどかしたりする作業や、大型で持ちにくいホッパーユニット３４を持ち上げて引き出す作業等が記載されていたが、本発明はこれに限定されるものではなく、例えば、スピーカ６０がドライバー等の工具を用いてネジ等の取付部材を取り外す作業や、ネジ等の取付部材が見えないなど取り外しが困難な状態での取り外し作業等を含む。
【００８８】
言い換えると、これら特定の取り外し作業を行うことなく簡単に取り外しができる状態とは、例えば、ドライバー等の工具を用いることなく取り外すことが可能な取付部材（例えば、蝶ネジやラッチなど）を用いて取り付けられている状態や、スピーカ６０を取り付けるネジ等の取付部材が筐体１ａの前面側に視認可能に露呈するなど作業しやすい状態で取り付けられている状態等を含む。
【００８９】
また、本実施例のように、スピーカ６０を取り外す前に、例えば、ホッパーユニット３４など他の装置を筐体１ａから取り外したり、位置をずらしたりせずに取り外せる状態や、ネジ等の取付部材を取り外したりすることなくスピーカ６０を手前に引き出すだけで筐体１ａから取り外すことができる状態等を含む。
【００９０】
また、本実施例では、スピーカ６０がスピーカ取付位置に取り付けられたときに、設備取付部としての左側の下取付部１１６Ｌを用いてスロットマシン１を遊技島２００へ取り付けることが不可能な状態になっているが、本発明はこれに限定されるものではなく、右側の下取付部１１６Ｒを用いてスロットマシン１を遊技島２００へ取り付けることが困難または不可能な状態になるようにしてもよいし、上取付部１１４Ｌ，１１４Ｒを用いてスロットマシン１を遊技島２００へ取り付けることが困難または不可能な状態になるようにしてもよい。
【００９１】
また、本実施例では、スピーカ６０は、メダルを払い出す払出装置としてのホッパーユニット３４を取り付けるための取付台７０に取り付けられていた。スピーカ６０は、特に低音用のスピーカであり、振動が取付台７０を介してホッパーユニット３４に伝達されやすいが、ホッパーユニット３４は、特に図示しないが、ホッパーモータ３４ｂにより回転駆動する回転ディスク（図示略）にてメダルを払い出す装置であり振動を伴う装置であるため、振動しやすいスピーカ６０であっても、このような装置とともに取り付けることは影響が少ない。また、スピーカ６０が振動することで、ホッパータンク３４ａに貯留されたメダルが均されるため、メダル詰まりの発生が抑制される。
【００９２】
また、スピーカ６０は、スロットマシン１に設けられた被スライド部としてのガイドレール１２０Ｌ，１２０Ｒに対しスライド移動可能に設けられ、該ガイドレール１２０Ｌ，１２０Ｒによりスピーカ取付位置まで案内されるようになっているので、スピーカ取付位置への取り付けを容易に行うことができる。
【００９３】
また、スピーカ６０は、該スピーカ６０以外の他の装置であるホッパーユニット３４を取り付けるために用いられる取付部材としての取付台７０に取り付けられている。このようにすることで、ホッパーユニット３４と共通の取付台７０を介してスロットマシン１に取り付けられているため、部品点数を低減することが可能となる。
【００９４】
尚、本実施例では、スピーカ６０は、他の装置であるホッパーユニット３４を取り付けるために用いられる取付台７０に取り付けられているが、本発明はこれに限定されるものではなく、ホッパーユニット３４以外の装置（例えば、オーバーフロータンク３５や電源ボックス１００）を取り付けるために用いられる取付部材に取り付けられてもよい。
【００９５】
また、取付台７０は、メダルを払い出す払出装置としてのホッパーユニット３４を取り付けるための払出装置取付部としてのガイドレール１３０Ｌ，１３０Ｒを有し、該ガイドレール１３０Ｌ，１３０Ｒと反対側（水平板７０ａの下面７０ｆ）に音出力装置取付部としてのナット１４０が設けられているため、取付台７０における払出装置取付部の反対側である下面を効率よく使用することができる。
【００９６】
また、スピーカ６０は、特に低音用のスピーカであり、振動が取付台７０を介してホッパーユニット３４に伝達されやすいが、ホッパーユニット３４は、特に図示しないが、ホッパーモータ３４ｂにより回転駆動する回転ディスク（図示略）にてメダルを払い出す装置であり振動を伴う装置であるため、振動しやすいスピーカ６０であっても、このような装置とともに取り付けることは影響が少ない。また、スピーカ６０が振動することで、ホッパータンク３４ａに貯留されたメダルが均されるため、メダル詰まりの発生が抑制される。
【００９７】
また、本実施例では、スピーカ６０は、取付台７０を介して底板１１０ｂに取り付けられていたが、本発明はこれに限定されるものではなく、図１０及び図１１に示す変形例１のスピーカ６０Ａのように、取付台７０等の取付部材を介すことなく、底板１１０ｂに直接取り付けられていてもよい。図１０は、本発明の変形例１としてのスロットマシンを示す分解斜視図である。図１１は、（Ａ）はスピーカが取り付けられた状態を示す縦断面図、（Ｂ）は（Ａ）のＢ−Ｂ断面図である。尚、本変形例１において、前記実施例と同様の構成部位に関しては同様の符号を付すことで、ここでの詳細な説明は省略することとする。
【００９８】
図１０及び図１１に示すように、本変形例１にあっては、底板１１０ｂにおける左右のガイドレール１２０Ｌ，１２０Ｒの間に、スピーカ６０Ａを前後方向に移動案内するガイドレール１５０Ｌ，１５０Ｒが取り付けられている。また、スピーカ６０Ａの左右側面には、ガイドレール１５０Ｌ，１５０Ｒが挿入可能なガイド溝１５２が前後方向に向けて形成されている。また、ガイドレール１５０Ｌ，１５０Ｒの前端間には、スピーカ６０Ａのスピーカ取付位置からの逸脱を規制する弾性係止片１５１が設けられている。
【００９９】
このように、本変形例１にあっては、ガイドレール１５０Ｌ，１５０Ｒの前端にガイド溝１５２を挿入し、スピーカ６０Ａを奥側へ押し込むことで、スピーカ６０Ａをスライド移動によりスピーカ取付位置に簡単に取り付けることができる。また、スピーカ６０Ａがスピーカ取付位置に配置されたときに、弾性係止片１５１が弾性変形してスピーカ６０Ａの前端に係止されるため、スピーカ６０Ａのスピーカ取付位置からの逸脱が規制される。
【０１００】
また、スピーカ６０Ａを取り外す場合には、弾性係止片１５１を弾性変形させて係止状態、つまり、取付状態を解除して非取付状態とした後、把手部１４５を把持して手前側に引き出すだけで、スピーカ６０Ａを筐体１ａから容易に取り外すことができる。
【０１０１】
また、前記実施例及び本変形例１では、スピーカ６０，６０Ａをスピーカ取付位置に取り付けるための取付部材として、ガイドレール１２０Ｌ，１２０Ｒ、１５０Ｌ，１５０Ｒを適用していたが、本発明はこれに限定されるものではなく、取付部材は、ガイドレールのようにスピーカをスピーカ取付位置まで移動案内する機能を有していなくてもよい。
【０１０２】
尚、本変形例１にあっては、取付台７０は、スピーカ６０Ａとは別個の取付部材にて底板１１０ｂに取り付けられているので、スピーカ６０Ａの把手部１４５とは別個に把手部１５３を設けることが好ましい。
【０１０３】
図１２は、（Ａ）は本発明の変形例２としてのスロットマシンを示す分解斜視図、（Ｂ）はスピーカの取り付け状態を示す断面図である。
【０１０４】
図１２に示すように、本変形例２にあっては、スピーカ６０Ｂの前辺左右側に、取付孔１６０ａを有する取付片１６０Ｌ，１６０Ｒが前方に向けて突設されている。また、スピーカ６０Ｂの後辺左右側に、差込片１６２Ｌ，１６２Ｒが後方に向けて突設されている。
【０１０５】
一方、底板１１０ｂの前辺近傍位置には、取付孔１６０ｂが左右に形成されている。また、後辺近傍位置には、差込片１６２Ｌ，１６２Ｒが差し込み可能な差込孔１６１Ｌ，１６１Ｒが形成された支持部材１６１が左右方向に設けられている。
【０１０６】
このように、本変形例２にあっては、差込孔１６１Ｌ，１６１Ｒに差込片１６２Ｌ，１６２Ｒを挿入し、スピーカ６０Ｂを底板１１０ｂ上に載置し、取付孔１６０ａに取り付けたラッチ部材１６２を取付孔１６０ｂに差し込んで押し込むことで、ラッチ部材１６２の取付孔１６０ａ，１６０ｂからの逸脱が規制されるため、スピーカ６０Ｂのスピーカ取付位置からの逸脱が規制される。
【０１０７】
また、スピーカ６０Ｂを取り外す場合には、ラッチ部材１６２を操作して係止状態、つまり、取付状態を解除して非取付状態とした後、手前側に引き出すだけで、スピーカ６０Ｂを筐体１ａから容易に取り外すことができる。
【０１０８】
また、取付部材としてのラッチ部材１６２や取付片１６０Ｌ，１６０Ｒは、スピーカ６０Ｂがスピーカ取付位置に取り付けられたときに底板１１０ｂの前側に配置されることで、ラッチ部材１６２による係止状態を解除する操作をラッチ部材１６２を見ながら行うことができるため、スピーカ６０Ｂを筐体１ａから容易に取り外すことができる。さらに、ラッチ部材１６２は、ドライバー等の工具を用いずに取り付けることができるため、スピーカ６０Ｂを筐体１ａから容易に取り外すことができる。
【０１０９】
図１３は、（Ａ）は本発明の変形例３としてのスロットマシンを示す分解斜視図、（Ｂ）はスピーカの取り付け状態を示す断面図である。
【０１１０】
図１２に示す変形例２では、取付片１６０Ｌ，１６０Ｒは、スピーカ６０Ｂの前辺左右側に前方に向けて突設されていたが、図１３に示すように、スピーカ６０Ｃの左右側辺から外方に向けて、取付孔１７０ａを有する取付片１７０Ｌ，１７０Ｒを突設してもよい。一方、底板１１０ｂの前辺近傍位置には、取付孔１７１ａを有する被取付板１７１Ｌ，１７１Ｒを立設する。このようにすることで、取付孔１７０ａ，１７１ａが前方を向くため、ラッチ部材１６２を筐体１ａの前方から容易に取り付けることができる。よって、スピーカ６０Ｂを筐体１ａから容易に取り外すことができる。
【０１１１】
また、本実施例及び変形例では、音出力装置の一例として、スピーカ６０が適用されていたが、本発明はこれに限定されるものではなく、例えば、スピーカが接続されるアンプ等であってもよい。
【０１１２】
また、本実施例及び変形例では、設備取付部の一例である上取付部１１４Ｌ，１１４Ｒ、下取付部１１６Ｌ，１１６Ｒは、上板１１０ａや底板１１０ｂに設けられていたが、左側板１１０ｃ、右側板１１０ｄ及び背板１１０ｅなど、他の位置に設けられていてもよい。
【０１１３】
また、本実施例及び変形例では、スピーカ６０，６０Ａ，６０Ｂ，６０Ｃは、底板１１０ｂの上面に横向きに倒伏した状態で取り付けられるようになっているが、本発明はこれに限定されるものではなく、縦向きに取り付けられるようにしてもよいし、あるいは、上板１１０ａ、左側板１１０ｃ、右側板１１０ｄ及び背板１１０ｅなど他の位置に取り付けられるようにしてもよい。
【０１１４】
以上、本発明の実施例を図面により説明してきたが、本発明はこの実施例に限定されるものではなく、本発明の主旨を逸脱しない範囲における変更や追加があっても本発明に含まれることは言うまでもない。
【０１１５】
例えば、前記実施例では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例１で賭数として３を設定する場合は、１５個の遊技球を用いて賭数を設定するものに相当する。
【０１１６】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【０１１７】
また、前記実施例では、本発明が遊技機の一例であるスロットマシン１に適用された例が示されていたが、本発明はこれに限定されるものではなく、遊技領域に遊技媒体（例えば、遊技球）を打ち込むことで遊技を行うパチンコ遊技機や雀球遊技機等に適用してもよい。また、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶される、所謂、封入式遊技機にも本発明を適用可能である。
【０１１８】
パチンコ遊技機は、特に図示しないが、四角枠状に形成された外枠と、該外枠に対し回動可能に設けられ遊技盤が取り付けられる遊技枠と、遊技盤を透視可能とする透視窓を有するガラス扉枠と、からなり、外枠に設けられる設備取付部（例えば、木板からなる下板及び上板）を用いて遊技場に設置された設備（例えば、遊技島２００の上設置板２０３と下設置板２０２との間）に取り付け可能である。そして、スピーカが外枠に設けられる場合において、スピーカが外枠のスピーカ取付位置に取り付けられたとき、該スピーカ取付位置に取り付けられていないときよりも設備取付部を用いてパチンコ遊技機を設備に取り付けることが困難な状態、または、スピーカがスピーカ取付位置に取り付けられたときに設備取付部を用いてパチンコ遊技機を設備に取り付けることが不可能な状態となっており、スピーカは、スピーカ取付位置に取り付けられた取付状態から容易に非取付状態として遊技機から取り外すことができるように取り付けられていればよい。
【符号の説明】
【０１１９】
１        スロットマシン
１ａ      筐体
６０      スピーカ
３４      ホッパーユニット
７０      取付台
７０ａ    水平板
１１０ｂ  底板
１１１    補強枠板
１１４Ｌ，１１４Ｒ  上取付部
１１６Ｌ，１１６Ｒ  下取付部
１２０Ｌ，１２０Ｒ  ガイドレール
１４０    ナット
１４５    把手部
【図１】
2015205139.tif 000003
【図２】
2015205139.tif 000004
【図３】
2015205139.tif 000005
【図４】
2015205139.tif 000006
【図５】
2015205139.tif 000007
【図６】
2015205139.tif 000008
【図７】
2015205139.tif 000009
【図８】
2015205139.tif 000010
【図９】
2015205139.tif 000011
【図１０】
2015205139.tif 000012
【図１１】
2015205139.tif 000013
【図１２】
2015205139.tif 000014
【図１３】
2015205139.tif 000015